(57)【要約】【課題】  音声／データ共用通信制御装置の２段接続でも、音声用及びデータ用を区別したグローバル網側と適切に通信できるようにする。【解決手段】  本発明のシステムでは、データ用と音声用とで異なるグローバルＩＰアドレスの体系を適用するグローバル網に接続されるマスタの音声／データ共用通信制御装置と、このマスタ装置に接続され、配下にデータ通信装置及び音声通信装置を収容しているスレーブの音声／データ共用通信制御装置とを含んでいる。マスタの音声／データ共用通信制御装置に、スレーブの音声／データ共用通信制御装置からのデータ用及び音声用のＩＰアドレスの取得要求に対し、恰も、ＩＰアドレスの付与サーバとして機能する部分を設けて、データ用及び音声用のマスタ・スレーブ間ローカルＩＰアドレスを付与するようにした。これにより、データ用及び音声用で、どの区間でもリンクを確立させることができるようになる。【選択図】      図１
2007067719.tif 000002
【特許請求の範囲】
【請求項１】
データ用と音声用とで異なるグローバルＩＰアドレスの体系を適用するグローバル網に接続されるマスタの音声／データ共用通信制御装置と、このマスタの音声／データ共用通信制御装置に接続され、配下にデータ通信装置及び音声通信装置を収容しているスレーブの音声／データ共用通信制御装置とを含む通信制御システムにおける、上記マスタの音声／データ共用通信制御装置が該当する音声／データ共用通信制御装置であって、
上記グローバル網にＩＰアドレスの取得要求を行い、データ用及び音声用のグローバルＩＰアドレスを取得するグローバルリンク状態管理部と、
データ用のグローバルＩＰアドレスが取得されたことを条件として、スレーブの上記音声／データ共用通信制御装置からのデータ用のＩＰアドレスの取得要求に応じ、データ用のＩＰアドレスの付与サーバとして振る舞って、データ用のマスタ・スレーブ間ローカルＩＰアドレスを付与して通知するデータ用ＩＰアドレス付与サーバ実行部と、
音声用のグローバルＩＰアドレスが取得されたことを条件として、スレーブの上記音声／データ共用通信制御装置からの音声用のＩＰアドレスの取得要求に応じ、音声用のＩＰアドレスの付与サーバとして振る舞って、音声用のマスタ・スレーブ間ローカルＩＰアドレスを付与して通知する音声用ＩＰアドレス付与サーバ実行部と
を有することを特徴とする音声／データ共用通信制御装置。
【請求項２】
データ用と音声用とで異なるグローバルＩＰアドレスの体系を適用するグローバル網に接続されるマスタの音声／データ共用通信制御装置と、このマスタの音声／データ共用通信制御装置に接続され、配下にデータ通信装置及び音声通信装置を収容しているスレーブの音声／データ共用通信制御装置とを含む通信制御システムにおける、上記スレーブの音声／データ共用通信制御装置が該当する音声／データ共用通信制御装置であって、
マスタの上記音声／データ共用通信制御装置を擬似的なグローバル網に見立てて、ＩＰアドレスの取得要求を行い、データ用及び音声用のマスタ・スレーブ間ローカルＩＰアドレスの取得を仲介する擬似グローバルリンク状態管理部と、
データ用のＩＰアドレスの付与クライアントとして振る舞って、上記擬似グローバルリンク状態管理部を介して、マスタの上記音声／データ共用通信制御装置へのデータ用のＩＰアドレスの取得要求を送出し、データ用のマスタ・スレーブ間ローカルＩＰアドレスを取得するデータ用ＩＰアドレス付与クライアント実行部と、
音声用のＩＰアドレスの付与クライアントとして振る舞って、上記擬似グローバルリンク状態管理部を介して、マスタの上記音声／データ共用通信制御装置への音声用のＩＰアドレスの取得要求を送出し、音声用のマスタ・スレーブ間ローカルＩＰアドレスを取得する音声用ＩＰアドレス付与クライアント実行部と
を有することを特徴とする音声／データ共用通信制御装置。
【請求項３】
データ用と音声用とで異なるグローバルＩＰアドレスの体系を適用するグローバル網に接続されるマスタの音声／データ共用通信制御装置と、このマスタの音声／データ共用通信制御装置に接続され、配下にデータ通信装置及び音声通信装置を収容しているスレーブの音声／データ共用通信制御装置とを含む通信制御システムであって、
マスタの音声／データ共用通信制御装置として、請求項１に記載の音声／データ共用通信制御装置を適用し、
スレーブの音声／データ共用通信制御装置として、請求項２に記載の音声／データ共用通信制御装置を適用する
ことを特徴とする通信制御システム。
【発明の詳細な説明】
【技術分野】
【０００１】
本発明は音声／データ共用通信制御装置に関し、例えば、データパケットとＶｏＩＰパケットとを取り扱うルータ装置に適用し得るものである。
【背景技術】
【０００２】
一般に、一つのインターネットインタフェースで、データ通信及びＶｏＩＰ通信を行う場合、１つのＷＡＮ側ＩＰアドレスがキャリア側から提供される。ルータ装置（データ通信を取り扱うが、一般的にはＶｏＩＰ−ルータ装置と呼ばれている）を例えば２段に接続した場合、マスタ側ルータ装置は、スレーブ側ルータ装置のデータパケット及びＶｏＩＰパケットを意識（識別）することなく、１つのＷＡＮ側ＩＰアドレスを使用して通信を行うことができる（例えば、特許文献１の段落「００２２」参照）。
【０００３】
ところで、近年、キャリアがサービスを提供する態様として、データパケットとＶｏＩＰパケットを分けて２つのＷＡＮ側ＩＰアドレスを使用するようになってきた。そのため、ルータ装置内で、データパケットの場合はデータ用ＷＡＮ側ＩＰアドレスを使用し、ＶｏＩＰパケットの場合はＶｏＩＰ用ＷＡＮ側ＩＰアドレスを使用して通信を行う。
【０００４】
図２は、このような２つのＷＡＮ側ＩＰアドレスが与えられる場合のネットワークの接続構成を示すブロック図である。図３は、図２のルータ装置におけるＩＰアドレスの取得、管理等に係るソフトウェア部分の機能ブロック図である。
【０００５】
図２において、ルータ装置１は、ＬＡＮ回線２を介して、パソコンなどのデータ通信端末３を収容すると共に、複数のＰＢＸ収容回線４を介して、構内交換機（ＰＢＸ）５を収容している。構内交換機５は内線電話機６を収容している。一方、ルータ装置１は、キャリア側とはＷＡＮ回線７と接続されている。キャリア網は、ＶｏＩＰ通信（ＩＰ電話通信）を提供するＶｏＩＰ網８と、データ通信（主にインターネット等）を提供するデータ網９とに分離されており、ＡＤＳＬモデムや光終端装置が該当するアクセス制御装置１０が、ＩＰパケットがデータパケットかＶｏＩＰパケットによって、パケットに応じたＶｏＩＰ網８又はデータ網９との接続制御を行う。
【０００６】
図３において、ＷＡＮリンク状態管理部１１は、データ網９より、ＤＨＣＰ、ＰＰＰｏＥ等のプロトコルに従って、データ用のＷＡＮ側ＩＰアドレス（グローバルＩＰアドレス）を取得し、同様に、ＶｏＩＰ綱８より、ＤＨＣＰ、ＰＰＰｏＥ等のプロトコルに従って、ＶｏＩＰ用のＷＡＮ側ＩＰアドレスを取得するものである。ＤＨＣＰサーバ実行部１２は、収容しているデータ通信端末３に対して恰もＤＨＣＰサーバとして機能し、ローカルＩＰアドレスを付与するものである。データ通信端末３とデータ網９側との通信では、データ用のＷＡＮ側ＩＰアドレスと、ＤＨＣＰサーバ実行部１２が付与したローカルＩＰアドレスとの変換がＤＨＣＰサーバ実行部１２によって適宜実行される。構内交換機５からの音声信号は、ＶｏＩＰ制御部１３でパケット化され、ＶｏＩＰ用のＷＡＮ側ＩＰアドレスを使用してＶｏＩＰ網８側に向けて送り出される。
【特許文献１】特開２００４−１６６０００号公報
【発明の開示】
【発明が解決しようとする課題】
【０００７】
ところで、ＰＢＸ収容回線４の収容数を増大させようとした場合には、ルータ装置を２段に接続することも考えられる。例えば、図２に示す位置に設けられたＶｏＩＰ網８及びデータ網９対応のルータ装置１をマスタのルータ装置とし、そのＬＡＮ回線を介して、スレーブの１又は複数のルータ装置を接続し、ＰＢＸ回線を、マスタ及び又はスレーブのルータ装置に割り振ることも考えられる（後述する図４参照）。
【０００８】
しかしながら、このようにルータ装置を２段に接続した場合には、マスタのルータ装置は、配下のスレーブのルータ装置に対して、ＤＨＣＰに従って、ローカルＩＰアドレスを１つ割当てることになるが、この場合には、以下のような課題が存在する。
【０００９】
マスタのルータ装置は、ＬＡＮ側ポートでスレーブのルータ装置のパケットを受信するが、データパケットとＶｏＩＰパケットを識別して受信できない。
【００１０】
また、スレーブのルータ装置が所有するＷＡＮ側ＩＰアドレスは、マスタのルータ装置から割当てられた１つのローカルＩＰアドレスであるため、マスタのルータ装置に対して、データパケットとＶｏＩＰパケットを識別させるように送信できない。
【００１１】
以上のような課題により、スレーブのルータ装置からのデータパケットとＶｏＩＰパケットを所望するデータ網又はＶｏＩＰ網に正しく送出することができない。
【００１２】
上述したように、ＶｏＩＰ網８及びデータ網９を区別しないキャリア網対応のルータ装置では課題となっていないことが、ＶｏＩＰ網８及びデータ網９対応のルータ装置では課題として存在してしまう。
【００１３】
そのため、音声／データ共用通信制御装置を２段に接続した場合でも、音声用及びデータ用を区別したキャリア網（グローバル網）側と適切に通信することができる音声／データ共用通信制御装置及び通信制御システムが望まれている。
【課題を解決するための手段】
【００１４】
第１の本発明は、データ用と音声用とで異なるグローバルＩＰアドレスの体系を適用するグローバル網に接続されるマスタの音声／データ共用通信制御装置と、このマスタの音声／データ共用通信制御装置に接続され、配下にデータ通信装置及び音声通信装置を収容しているスレーブの音声／データ共用通信制御装置とを含む通信制御システムにおける、上記マスタの音声／データ共用通信制御装置が該当する音声／データ共用通信制御装置であって、（１）上記グローバル網にＩＰアドレスの取得要求を行い、データ用及び音声用のグローバルＩＰアドレスを取得するグローバルリンク状態管理部と、（２）データ用のグローバルＩＰアドレスが取得されたことを条件として、スレーブの上記音声／データ共用通信制御装置からのデータ用のＩＰアドレスの取得要求に応じ、データ用のＩＰアドレスの付与サーバとして振る舞って、データ用のマスタ・スレーブ間ローカルＩＰアドレスを付与して通知するデータ用ＩＰアドレス付与サーバ実行部と、（３）音声用のグローバルＩＰアドレスが取得されたことを条件として、スレーブの上記音声／データ共用通信制御装置からの音声用のＩＰアドレスの取得要求に応じ、音声用のＩＰアドレスの付与サーバとして振る舞って、音声用のマスタ・スレーブ間ローカルＩＰアドレスを付与して通知する音声用ＩＰアドレス付与サーバ実行部とを有することを特徴とする。
【００１５】
第２の本発明は、データ用と音声用とで異なるグローバルＩＰアドレスの体系を適用するグローバル網に接続されるマスタの音声／データ共用通信制御装置と、このマスタの音声／データ共用通信制御装置に接続され、配下にデータ通信装置及び音声通信装置を収容しているスレーブの音声／データ共用通信制御装置とを含む通信制御システムにおける、上記スレーブの音声／データ共用通信制御装置が該当する音声／データ共用通信制御装置であって、（１）マスタの上記音声／データ共用通信制御装置を擬似的なグローバル網に見立てて、ＩＰアドレスの取得要求を行い、データ用及び音声用のマスタ・スレーブ間ローカルＩＰアドレスの取得を仲介する擬似グローバルリンク状態管理部と、（２）データ用のＩＰアドレスの付与クライアントとして振る舞って、上記擬似グローバルリンク状態管理部を介して、マスタの上記音声／データ共用通信制御装置へのデータ用のＩＰアドレスの取得要求を送出し、データ用のマスタ・スレーブ間ローカルＩＰアドレスを取得するデータ用ＩＰアドレス付与クライアント実行部と、（３）音声用のＩＰアドレスの付与クライアントとして振る舞って、上記擬似グローバルリンク状態管理部を介して、マスタの上記音声／データ共用通信制御装置への音声用のＩＰアドレスの取得要求を送出し、音声用のマスタ・スレーブ間ローカルＩＰアドレスを取得する音声用ＩＰアドレス付与クライアント実行部とを有することを特徴とする。
【００１６】
第３の本発明は、データ用と音声用とで異なるグローバルＩＰアドレスの体系を適用するグローバル網に接続されるマスタの音声／データ共用通信制御装置と、このマスタの音声／データ共用通信制御装置に接続され、配下にデータ通信装置及び音声通信装置を収容しているスレーブの音声／データ共用通信制御装置とを含む通信制御システムであって、マスタの音声／データ共用通信制御装置として、第１の本発明の音声／データ共用通信制御装置を適用し、スレーブの音声／データ共用通信制御装置として、第２の本発明の音声／データ共用通信制御装置を適用することを特徴とする。
【発明の効果】
【００１７】
本発明によれば、マスタの音声／データ共用通信制御装置に、スレーブの音声／データ共用通信制御装置からのデータ用及び音声用のＩＰアドレスの取得要求に対し、恰も、ＩＰアドレスの付与サーバとして機能する部分を設けて、データ用及び音声用のマスタ・スレーブ間ローカルＩＰアドレスを付与するようにしたので、データ用及び音声用で、どの区間でもリンクを確立させることができ、音声用及びデータ用を区別したグローバル網側と適切に通信することができるようになる。
【発明を実施するための最良の形態】
【００１８】
（Ａ）実施形態
以下、本発明による音声／データ共用通信制御装置及び通信制御システムの一実施形態を、図面を参照しながら詳述する。この実施形態の音声／データ共用通信制御装置は、ルータ装置（ＶｏＩＰ−ルータ装置）である。
【００１９】
（Ａ−１）実施形態の構成
図４は、この実施形態のルータ装置を２段に含むネットワーク構成を示すブロック図であり、上述した図２の同一、対応部分には同一符号を付して示している。
【００２０】
図４において、マスタのルータ装置１Ｍも、キャリア側とはＷＡＮ回線７を介して接続されており、ＡＤＳＬモデムや光終端装置が該当するアクセス制御装置１０が、ＷＡＮ回線７を介してきたＩＰパケットがデータパケットかＶｏＩＰパケットによってＶｏＩＰ網８又はデータ網９との接続制御を行うようになされており、また、ＶｏＩＰ網８又はデータ網９からのＩＰパケットをＷＡＮ回線７に送り出すようになされている。
【００２１】
マスタのルータ装置１Ｍが収容する複数のＬＡＮ回線は、データ通信端末やスレーブのルータ装置に接続されている。図４の例の場合、ＬＡＮ回線２Ｍ−０はデータ通信端末３Ｍに接続され、ＬＡＮ回線２Ｍ−１は第１のスレーブ・ルータ装置１Ｓ−１に接続され、ＬＡＮ回線２Ｍ−２は第２のスレーブ・ルータ装置１Ｓ−２に接続されている。
【００２２】
図４の例では、マスタのルータ装置１ＭはＰＢＸ回線４Ｍを介して、内線電話機６を収容している構内交換機５にも接続されている。
【００２３】
各スレーブ・ルータ装置１Ｓ−１、１Ｓ−２はそれぞれ、上述したように、キャリア網側要素として、マスタのルータ装置１Ｍに対して、ＬＡＮ回線２Ｍ−１、２Ｍ−２を介して接続されている。
【００２４】
また、各スレーブ・ルータ装置１Ｓ−１、１Ｓ−２はそれぞれ、ＬＡＮ回線２Ｓ−１、２Ｓ−２（２Ｓ−２は図示せず）を介してデータ通信端末３Ｓ−１、３Ｓ−２（３Ｓ−２は図示せず）に接続されている。
【００２５】
さらに、各スレーブ・ルータ装置１Ｓ−１、１Ｓ−２はそれぞれ、ＰＢＸ回線４Ｓ−１、４Ｓ−２を介して構内交換機５にも接続されている。
【００２６】
以上のように、ルータ装置のマスタ・スレーブの２段構成により、構内交換機５の多数のＰＢＸ収容回線４（４Ｍ、４Ｓ−１、４Ｓ−２）に対応できるようになされている。
【００２７】
図５は、ルータ装置１（１Ｍ、１Ｓ−１、１Ｓ−２）のハードウェア構成例を示すブロック図である。
【００２８】
図５の例は、マスタのルータ装置１Ｍも、スレーブ・ルータ装置１Ｓ−１、１Ｓ−２もハードウェア構成が同一であるとして示している。後述するように、起動時のコンフィグレーションパラメータの設定により、同一のルータ装置が、マスタのルータ装置として動作でき、また、スレーブのルータ装置として動作できるものである。
【００２９】
図５において、ルータ装置１は、キャリア網側のデータ回線（ＷＡＮ回線又はＬＡＮ回線）とのインタフェース（ドライバ、レシーバなどのデータの送受信構成を含む）を行うグローバル側インタフェース部２０と、ローカル側のデータ回線（ＬＡＮ回線）とのインタフェースを行うローカル側インタフェース部２１とを有し、これらグローバル側インタフェース部２０及びローカル側インタフェース部２１はデータ処理やルーティングや通信制御などを行う制御部２２に接続されている。
【００３０】
また、ルータ装置１は、ＰＢＸ収容回線４を終端するＰＢＸインタフェース部２３を有し、このインタフェース部２３には、アナログ音声信号及びデジタル音声信号の相互変換を行うＡ／Ｄ・Ｄ／Ａ変換部２４が接続され、また、Ａ／Ｄ・Ｄ／Ａ変換部２４にはデジタル音声信号を符号化したり、符号化音声信号を復号化したりするコーデック部２５が接続されている。コーデック部２５は、制御部２２に接続されている。
【００３１】
制御部２２は、ＣＰＵ、ＲＯＭ、ＲＡＭなどで構成されているソフトウェア処理を中心に行う部分である。例えば、制御部２２は、グローバル側インタフェース部２０から与えられたパケットがデータパケットかＶｏＩＰパケットかを識別し、データパケットであれば、ＩＰアドレスの変換を行ってローカル側インタフェース部２１に与え（ローカル側インタフェース部２１が複数の場合にはその選択も行う）、ＶｏＩＰパケットであればパケットから符号化音声信号を抽出してコーデック部２５に与えるものである（コーデック部２５が複数の場合にはその選択も行う）。また例えば、制御部２２は、ローカル側インタフェース部２１からパケットが与えられた場合には、ＩＰアドレスの変換を行ってグローバル側インタフェース部２０に与え、コーデック部２５から符号化音声信号が与えられたときにはパケットを組立て所定のＩＰアドレスを付与した後、グローバル側インタフェース部２０に与えるものである。また、制御部２２は、呼制御パケットも適宜処理するものである。
【００３２】
図１は、実施形態のルータ装置におけるＩＰアドレスの取得、管理、変換等の操作に係るソフトウェア的な処理構成を示す機能ブロック図であり、上述したように、ハードウェア的にはこの処理構成は制御部２２が該当する。
【００３３】
図１（Ａ）はマスタのルータ装置１Ｍでの構成を示し、図１（Ｂ）はスレーブのルータ装置１Ｓ（１Ｓ−１、１Ｓ−２）での構成を示している。制御部２２は、当該ルータ装置１の起動時に取り込んだコンフィグレーションパラメータの内容により、有効とするソフトウェア部分（ルーチンなど）の設定などを行って、当該ルータ装置をマスタ設定又はスレーブ設定する。なお、当初より、マスタのルータ装置１Ｍと、スレーブのルータ装置１Ｓとを別個の装置として構築しておくようにしても良い。
【００３４】
図１（Ａ）において、マスタのルータ装置１Ｍは、ＩＰアドレスの操作に係るソフトウェア的な処理構成として、ＷＡＮリンク状態管理部３１、データ用ＤＨＣＰサーバ実行部３２及びＶｏＩＰ用ＤＨＣＰサーバ実行部３３を有する。
【００３５】
ＷＡＮリンク状態管理部３１は、ＤＨＣＰ、ＰＰＰｏＥ等のプロトコルを利用して、データ網９からデータ用のＷＡＮ側ＩＰアドレスを取得し、データ用ＤＨＣＰサーバ実行部３２に通知するものである。また、ＷＡＮリンク状態管理部３１は、ＤＨＣＰ、ＰＰＰｏＥ等のプロトコルを利用して、ＶｏＩＰ網８からＶｏＩＰ用のＷＡＮ側ＩＰアドレスを取得し、ＶｏＩＰ用ＤＨＣＰサーバ実行部３３に通知するものである。さらに、ＷＡＮリンク状態管理部３１は、ＷＡＮリンクの状態を監視し、ＷＡＮ側ＩＰアドレスに変更があった場合には、それぞれのＤＨＣＰサーバ実行部３２、３３に通知するものである。
【００３６】
データ用ＤＨＣＰサーバ実行部３２は、ＷＡＮリンク状態管理部３１から、データ用のＷＡＮ側ＩＰアドレスの取得通知を受けた場合において、ＬＡＮ回線２Ｍ、２Ｓ−１、２Ｓ−２を介した、配下のデータ通信端末３Ｍ又はスレーブのルータ装置１Ｓ−１、１Ｓ−２からのデータ用のＤＨＣＰ要求に対して応答処理を行うものである。
【００３７】
ＶｏＩＰ用ＤＨＣＰサーバ実行部３３は、ＷＡＮリンク状態管理部３１から、ＶｏＩＰ用のＷＡＮ側ＩＰアドレスの取得通知を受けた場合において、ＬＡＮ回線２Ｓ−１、２Ｓ−２を介した、配下のスレーブのルータ装置１Ｓ−１、１Ｓ−２からのＶｏＩＰ用のＤＨＣＰ要求に対して応答処理を行うものである。
【００３８】
図１（Ｂ）において、スレーブのルータ装置１Ｓ（１Ｓ−１、１Ｓ−２）は、ＩＰアドレスの操作に係るソフトウェア的な処理構成として、ＷＡＮリンク状態管理部４１、ＶｏＩＰ用ＤＨＣＰクライアント実行部４２、データ用ＤＨＣＰクライアント実行部４３及びデータ用サーバ実行部４４を有する。
【００３９】
ＷＡＮリンク状態管理部４１は、ＷＡＮリンク側（マスタのルータ装置１Ｍ）の状態を監視し、ＷＡＮ側ＩＰアドレスの設定、変更があった場合などに、それぞれのＤＨＣＰクライアント実行部４２、４３に通知するものである。
【００４０】
ＶｏＩＰ用ＤＨＣＰクライアント実行部４２は、ＷＡＮリンク状態管理部４１を介して、マスタのルータ装置１ＭのＶｏＩＰ用ＤＨＣＰサーバ実行部３３から、ＶｏＩＰ用ローカルＩＰアドレスの取得を行うものである。
【００４１】
データ用ＤＨＣＰクライアント実行部４３は、ＷＡＮリンク状態管理部４１を介して、マスタのルータ装置１Ｍのデータ用ＤＨＣＰサーバ実行部３２から、データ用ローカルＩＰアドレスの取得を行うものである。また、データ用ＤＨＣＰクライアント実行部４３は、データ用ローカルＩＰアドレスが取得できた場合に、データ用ＤＨＣＰサーバ実行部４４に通知するものである。
【００４２】
データ用ＤＨＣＰサーバ実行部４４は、データ用ＤＨＣＰクライアント実行部４３からデータ用ローカルＩＰアドレスの取得通知を受けた場合に、直接収容しているデータ通信端末３Ｓ−１、３Ｓ−２からのＤＨＣＰ要求に対して応答を行うものである。
【００４３】
（Ａ−２）実施形態の動作
次に、実施形態のルータ装置を２段に含むネットワークの動作を、ＩＰアドレスの取得、管理面について、図面を参照しながら詳述する。図６は、ＩＰアドレスの取得、管理面についての動作を示すシーケンス図である。
【００４４】
システムが起動されると、マスタのルータ装置１ＭのＷＡＮリンク状態管理部３１は、ＷＡＮ側ＩＰアドレスの取得のため、ＶｏＩＰ網８及びデータ網９に対してそれぞれ、ＷＡＮ側ＩＰアドレスの取得要求を送出する（Ｓ１０１、Ｓ１０２）。また、システムが起動されると、スレーブのルータ装置１Ｓ（１Ｓ−１、１Ｓ−２）のＶｏＩＰ用ＤＨＣＰクライアント実行部４２は、ローカル側ＩＰアドレスの取得のため、マスタのルータ装置１ＭのＶｏＩＰ用ＤＨＣＰサーバ実行部３３に対して、ローカル側ＩＰアドレスの取得要求を送出すると共に（Ｓ１０３）、スレーブのルータ装置１Ｓのデータ用ＤＨＣＰクライアント実行部４３は、ローカル側ＩＰアドレスの取得のため、マスタのルータ装置１Ｍのデータ用ＤＨＣＰサーバ実行部３２に対して、ローカル側ＩＰアドレスの取得要求を送出する（Ｓ１０４）。また、スレーブのルータ装置１Ｓ配下に接続されたデータ通信端末３Ｓ（３Ｓ−１、３Ｓ−２）も、起動時に、スレーブのルータ装置１Ｓに対して、ローカルＩＰアドレスの取得のため、ローカル側ＩＰアドレスの取得要求を送出する（Ｓ１０５）。
【００４５】
なお、図６では省略しているが、マスタのルータ装置１Ｍ配下に接続されたデータ通信端末３Ｍも、起動時に、マスタのルータ装置１Ｍに対して、ローカルＩＰアドレスの取得のため、ローカル側ＩＰアドレスの取得要求を送出する。この場合の動作は、スレーブのルータ装置１Ｓ配下に接続されたデータ通信端末３Ｓの要求時の処理と同様であるので、これ以降の説明は省略する。
【００４６】
データ網９は、ＷＡＮ側ＩＰアドレスの取得要求（上述のＳ１０１参照）に応じ、マスタのルータ装置１Ｍに対して、データ用ＷＡＮ側ＩＰアドレスを割当て、ＷＡＮ側ＩＰアドレス通知を送出する（Ｓ１０６）。これにより、データ網９とマスタのルータ装置１Ｍとの間でデータ用ＷＡＮリンクが確立される（Ｓ１０７）。データ用ＷＡＮリンクが確立されると、マスタのルータ装置１ＭのＷＡＮリンク状態管理部３１は、データ用ＤＨＣＰサーバ実行部３２に対してＷＡＮ側ＩＰアドレスの取得通知を送出し（Ｓ１０８）、データ用ＤＨＣＰサーバ実行部３２は、既にデータ用ＤＨＣＰクライアント実行部４３から受信している（Ｓ１０４）ローカル側ＩＰアドレス取得要求（上述のＳ１０４参照）に対してローカル側ＩＰアドレス通知を送出する（Ｓ１０９）。これにより、マスタのルータ装置１Ｍとスレーブのルータ装置１Ｓとの間でデータ用ローカルリンクが確立される（Ｓ１１０）。スレーブのルータ装置１Ｓのデータ用ＤＨＣＰクライアント実行部４３は、データ用ローカルＩＰアドレスが取得できたことにより、データ用ＤＨＣＰサーバ実行部４４に対して、端末用ＩＰアドレス割当要求を送出する（Ｓ１１１）。データ用ＤＨＣＰサーバ実行部４４は、既にデータ通信端末３Ｓから受信しているローカル側ＩＰアドレスの取得要求（上述のＳ１０５参照）に対して、データ通信端末用のＩＰアドレスを割当てローカル側ＩＰアドレス通知を送出する（Ｓ１１２）。ここで、スレーブのルータ装置１Ｓとデータ通信端末３Ｓとの間でリンクが確立される（Ｓ１１３）。
【００４７】
ＶｏＩＰ網８は、ＷＡＮ側ＩＰアドレスの取得要求（上述のＳ１０２参照）に応じ、マスタのルータ装置１Ｍに対して、ＶｏＩＰ用ＷＡＮ側ＩＰアドレスを割当て、ＷＡＮ側ＩＰアドレス通知を送出する（Ｓ１１４）。これにより、ＶｏＩＰ網８とマスタのルータ装置１Ｍとの間でＶｏＩＰ用ＷＡＮリンクが確立される（Ｓ１１５）。ＶｏＩＰ用ＷＡＮリンクが確立されたら、マスタのルータ装置１ＭのＷＡＮリンク状態管理部３１は、ＶｏＩＰ用ＤＨＣＰサーバ実行部３３に対して、ＷＡＮ側ＩＰアドレス取得通知を送出し（Ｓ１１６）、ＶｏＩＰ用ＤＨＣＰサーバ実行部３３は、既にＶｏＩＰ用ＤＨＣＰクライアント実行部４２から受信しているローカル側ＩＰアドレス取得要求（上述のＳ１０３）に対して、ローカル側ＩＰアドレス通知を送出する（Ｓ１１７）。これにより、マスタのルータ装置１Ｍとスレーブのルータ装置１Ｓとの間で、ＶｏＩＰ用ローカルリンクが確立される（Ｓ１１８）。
【００４８】
スレーブのルータ装置１Ｓの配下のデータ通信端末３Ｓから出力されたデータパケットは、上述したステップＳ１１３で確立された端末３Ｓとのリンク、上述したステップＳ１１０で確立されたデータ用ローカルリンク、上述したステップＳ１０７で確立されたデータ用ＷＡＮリンクを経由してデータ網９に送出される（Ｓ１１９）。
【００４９】
マスタのルータ装置１Ｍ配下のデータ通信端末３Ｍからのデータパケットは、上述したステップＳ１１３と同様な処理により確立された端末３Ｍとのリンク、上述したステップＳ１０７で確立されたデータ用ＷＡＮリンクを経由してデータ網９に送出される（Ｓ１２０）。
【００５０】
スレーブのルータ装置１Ｓが、ＰＢＸ収容回線４Ｓからの音声信号を処理して形成したＶｏＩＰパケットは、上述したステップＳ１１８で確立されたＶｏＩＰ用ローカルリンク、上述したステップＳ１１５で確立されたＶｏＩＰ用ＷＡＮリンクを経由してＶｏＩＰ網８に送出される（Ｓ１２１）。
【００５１】
マスタのルータ装置１Ｍが、ＰＢＸ収容回線４Ｍからの音声信号を処理して形成したＶｏＩＰパケットは、上述したステップＳ１１５で確立されたＶｏＩＰ用ＷＡＮリンクを経由してＶｏＩＰ網８に送出される（Ｓ１２２）。
【００５２】
ステップＳ１０７で確立されたデータ用ＷＡＮリンク、又は、ステップＳ１１０で確立されたデータ用ローカルリンクが障害になっても、ステップＳ１１５で確立されたＶｏＩＰ用ＷＡＮリンクやステップＳ１１８で確立されたＶｏＩＰ用ローカルリンクが正常な場合には、ＶｏＩＰパケットの送信は継続でき、ＩＰ電話機能を継続して発揮させることができる。逆に、ステップＳ１１５で確立されたＶｏＩＰ用ＷＡＮリンク、又は、ステップＳ１１８で確立されたＶｏＩＰ用ローカルリンクが障害になっても、ステップＳ１０７で確立されたデータ用ＷＡＮリンクやステップＳ１１０で確立されたデータ用ローカルリンクが正常な場合には、データパケットの送信は継続できる。すなわち、障害発生時においても、データパケット及びＶｏＩＰパケットは独立して送信することができる。
【００５３】
（Ａ−３）実施形態の効果
上記実施形態によれば、マスタのルータ装置は、マスタのルータ装置配下のデータ通信端末からのデータパケット及びスレーブのルータ装置配下のデータ通信端末から受信するデータパケットをＷＡＮ側のデータ網へ送信することができ、マスタのルータ装置は、マスタのルータ装置からのＶｏＩＰパケット及びスレーブのルータ装置からＶｏＩＰパケットをＷＡＮ側のＶｏＩＰ網へ送信することができる。また、スレーブのルータ装置において、データ通信端末から受信したデータパケットをマスタのルータ装置にデータパケットとして送信することができる。
【００５４】
また、データ用とＶｏＩＰ用のローカルＩＰアドレスがそれぞれ異なるため、データ用ローカルＩＰアドレスが取得できなくても、ＶｏＩＰ通信が行うことができる。逆に、ＶｏＩＰ用ローカルＩＰアドレスが取得できなくても、データ通信が行うことができる。
【００５５】
（Ｂ）他の実施形態
上記実施形態では、マスタのルータ装置が接続するＷＡＮ回線の数が１回線のものを示したが、２回線以上あっても良く、この場合には、各ＷＡＮ回線毎に、データ用ＷＡＮ側ＩＰアドレス及びＶｏＩＰ用ＷＡＮ側ＩＰアドレスを取得することになる。
【００５６】
また、上記実施形態では、ルータ装置に接続されている音声通信装置がアナログ音声信号を取り扱う構内交換機であるものを示したが、ＩＰ−ＰＢＸであっても良く、また、ＩＰ電話機そのものであっても良い。上述した変形例の場合、ＩＰ−ＰＢＸやＩＰ電話機との回線もＬＡＮ回線になるが、ルータ装置は、その入出力ポートなどによって、データ用とＶｏＩＰ用とを区別させておくようにすれば良い。また、ルータ装置は、データ用だけでなく、音声用にも、配下の音声通信装置（ＩＰ−ＰＢＸやＩＰ電話機）にローカルＩＰアドレスを付与することを行う。
【００５７】
上記実施形態では、ルータ装置に対してデータパケットとＶｏＩＰパケットでの適用した例を説明したが、ＤＨＣＰをサポートする通信制御装置において、用途毎にＷＡＮ側ＩＰアドレスが指定され、指定されたＷＡＮ側ＩＰアドレスにパケット通信を行う際にも本発明を適用可能である。
【図面の簡単な説明】
【００５８】
【図１】実施形態のルータ装置におけるＩＰアドレスの取得、管理、変換等の操作に係るソフトウェア的な処理構成を示す機能ブロック図である。
【図２】従来のデータ用及びＶｏＩＰ用のＷＡＮ側ＩＰアドレスが与えられる場合のネットワークの接続構成を示すブロック図である。
【図３】図２のルータ装置におけるＩＰアドレスの取得、管理等に係るソフトウェア的な処理構成を示す機能ブロック図である。
【図４】実施形態のルータ装置を２段に含むネットワーク構成を示すブロック図である。
【図５】実施形態のルータ装置のハードウェア構成例を示すブロック図である。
【図６】実施形態のＩＰアドレスの取得、管理面についての動作を示すシーケンス図である。
【符号の説明】
【００５９】
１Ｍ…マスタのルータ装置、１Ｓ−１、１Ｓ−２…スレーブのルータ装置、３Ｍ、３Ｓ−１…データ通信端末、５…構内交換機、８…ＶｏＩＰ網、９…データ網、１０…アクセス装置、３１、４１…ＷＡＮリンク状態管理部、３２、４４…データ用ＤＨＣＰサーバ実行部、３３…ＶｏＩＰ用ＤＨＣＰサーバ実行部、４２…ＶｏＩＰ用ＤＨＣＰクライアント実行部、４３…データ用ＤＨＣＰクライアント実行部。
【図１】
2007067719.tif 000003
【図２】
2007067719.tif 000004
【図３】
2007067719.tif 000005
【図４】
2007067719.tif 000006
【図５】
2007067719.tif 000007
【図６】
2007067719.tif 000008